(57)【要約】      （修正有）【課題】人目を引く効果を増進した光る看板の構造を提供する。【解決手段】光る看板の構造は板体とＬＥＤ光源モジュールを備え、該板体上には蛍光物質或いはエッチングによる図形を備え、該板体の板面には凹溝を設置し、ＬＥＤ光源モジュールの複数のＬＥＤ光源は該凹溝内部に収容設置される。光る看板装置はフレーム体を設置しても、該フレーム体は該ＬＥＤ光源を遮蔽しない。これにより、ＬＥＤ光源の主要光源は板体内へと投射され、該板体上の蛍光物質或いはエッチング図形はＬＥＤ光源に応じて変化し、またＬＥＤ光源の側辺余光は、別に板体の凹溝位置を経由し、外へと散乱射出され、側辺点灯の機能を別に達成することができる。また該側辺余光はＬＥＤ光源モジュールが増設するコントローラーのプログラムにより制御され、板体の周辺において走馬灯のような環状装飾変化の効果を形成することができ、しかもＬＥＤ光源は二方向への発光効果を達成することができる。【選択図】図４
0003145177.tif 000002
【実用新案登録請求の範囲】
【請求項１】
少なくとも板体及び少なくとも１個のLED光源モジュールを含み、
該板体は透明材質で、前、後側は板面で、
該LED光源モジュールは少なくとも基板及び複数のLED光源を備え、
該板体の前、後側の板面中には少なくとも１個の凹溝を設置し、該LED光源モジュールの複数のLED光源は該凹溝内部に収容設置され、しかも該LED光源の主要発光角度は該板体の板面に平行に投射されることを特徴とする光る看板の構造。
【請求項２】
前記凹溝は該板体後側の板面の周縁に環状に設置することを特徴とする請求項１記載の光る看板の構造。
【請求項３】
前記LED光源は該基板上に設置し、しかも該板体の後側の板面に凹溝を設置する時に、該基板は該板体の板面に平行に、該凹溝の後側面に設置することを特徴とする請求項１記載の光る看板の構造。
【請求項４】
前記LED光源は該基板上に設置し、しかも該基板は板体の板面に垂直に、該凹溝の内部に設置することを特徴とする請求項１記載の光る看板の構造。
【請求項５】
前記光る看板装置はさらに該板体後側面に設置するバックボードを含むことを特徴とする請求項１記載の光る看板の構造。
【請求項６】
前記光る看板装置はさらに該板体側辺に設置するフレーム体を含み、しかも該板体の前側面から見ることができ、該フレーム体は該LED光源を遮蔽しないことを特徴とする請求項５記載の光る看板の構造。
【請求項７】
前記板体は後側の板面に水銀メッキ膜或いは水銀接着膜を増設することを特徴とする請求項１記載の光る看板の構造。
【請求項８】
前記LED光源モジュールの複数のLED光源は単一の色で、該複数のLED光源は複数のLEDユニットとして分布し、しかも該各LEDユニットは少なくとも２個のLED光源を備え、
また該LED光源モジュールは別にプログラム制御を備えるコントローラーに接続し、該コントローラーは該各LEDユニットの点灯、消灯、或いは交代点滅変換を制御可能であることを特徴とする請求項１記載の光る看板の構造。
【請求項９】
前記LED光源モジュールの複数のLED光源は少なくとも２種の色を備え、
しかも該LED光源モジュールは別にプログラム制御を備えるコントローラーに接続し、該コントローラーは異なる色のLED光源の点灯、消灯、或いは交代点滅変換を制御可能であることを特徴とする請求項１記載の光る看板の構造。
【考案の詳細な説明】
【技術分野】
【０００１】
本考案は光る看板の構造に関する。特に光る看板にLED光源を結合し、位置、構造を改変する光る看板の構造に係る。
【背景技術】
【０００２】
告示板はガイド或いは情報提供に用い、看板は消費者に製品情報を広め、消費者を店へと呼び込む主要な手段である。しかし、現行の各種告示板、看板上の大部分の文字或いは図案は固定された色により、文字が点滅変化し、また文字は告示板或いは看板内部或いは外部のランプが順番に点滅することにより、全体的な点滅を形成するだけで、或いは看板周囲外側を環状にランプで囲い、走馬灯のような装飾変化を形成するだけである。
この種の告示板、看板は長く流通しており、しかも非常に単調であるため、消費者の目を引きつけ或いは注意を喚起することは、もはやできない。さらに、ネオンサインによる変化の方式、或いは灯管表面に色紙を貼り、より多くの変化を求めるものもある。しかしそれも、灯光の変化は光源そのものの色或いは色紙の色の差異だけであるため、やはり単調である。しかも、その光源は蛍光灯或いは冷陰極管を採用するため、破裂し易く、随意に移動させる必要のある場所には適していない。またそれは電力消費量が高いため、一般的には市内電力に接続する。電池を電力として採用するものもあるが、その電力は有限であるため、しばらく使用すると電池を交換しなければならなくなり、極めて不便である。またその全体的な体積は大きく、コンパクトではないという欠点も存在する。
【０００３】
よって業者は側光源を採用し、人目を引き、消費者の注意を喚起する製品を開発した。図１に示すように、それは複数の異なる色のLED光源１０、フレーム体２０、板体３０、該板体３０面に付着する蛍光物質４０を含む。該LED光源１０は該板体３０の外側辺に環状に設置し、しかも該フレーム体２０は複数のLED光源１０を設置するために必要な構成部品を提供する。それは比較的優良な告示或いは広告効果を備えるが、その複数のLED光源１０は該板体３０外のフレーム体２０内部に内蔵する(図１、２参照)ため、該LED光源１０の主要発光角度は平行に該板体３０板面に向かい投射され、該板体３０面上の蛍光物質４０(或いはエッチング、印刷等の図や模様、文字)は色の点滅或いは変化を生じるだけである。しかも該LED光源１０は該フレーム体２０内に内蔵されるため、該LED光源１０の側辺余光を正面から見ることはできない。現在の広告パネルは通常は、別にパネルの周辺を灯光により取り囲み、特別に目を引く視覚効果を呈する。例えば、該フレーム体２０内部にはさらにLED光源１０を増設し、該フレーム体２０において突出させ、しかも該LED光源１０と該板体３０の板面は垂直となり(図３参照)、目を引く視覚効果を増進することができる。しかし、これではLED光源１０の設置個数を増やすだけでなく、該フレーム体２０は穿孔２０１を設置し通過させなければならず、製造工程とコストを増やしてしまっている。よって、上記光る看板装置は改善の必要がある。 
【考案の開示】
【考案が解決しようとする課題】
【０００４】
本考案が解決しようとする課題は、光る看板装置のLED光源の組み立て位置を改善し、LED光源を半導体発光部品とし、封入技術によりその発光を集中させ、こうしてその光源は集中方向へと投射され、さらに媒介上において、他の媒介(アクリル等)と接触時に散乱及び反射する余光を投射するため、該LED光源の余光は明点を形成し、外部へと投射され、こうして人目を引く効果を増進する機能を形成し、側光源を備えるような効果を形成し、最適な広告と警告表示の視覚機能を備え、
また、アクリル等を結合したプラスチック材質の加工が容易な特性を利用し、アクリル板体の板面上に凹溝を設置し、LED光源を凹溝中に嵌入し、こうしてLED光源の余光は外へと散乱投射され、予期の効果を達成する光る看板の構造を提供することである。
【０００５】
上記課題を解決するため、本考案は下記の光る看板の構造を提供する。光る看板の構造は少なくとも板体及び少なくとも１個のLED光源モジュールを含み、
該LED光源モジュールは少なくとも基板及び複数のLED光源を備え、
該板体の前、後側の板面中には少なくとも１個の凹溝を設置し、しかも該LED光源モジュールの複数のLED光源は該凹溝内部に収容設置され、しかも該LED光源の主要発光角度は該板体の板面に平行に投射され、主光源を形成し、通電時には該LED光源は該板体に直射し導光し、こうして該板体上に文字等を書く蛍光物質、或いは印刷、CNCエッチング、レーザーエッチングにより板体上に描かれる図案、文字は色の変化と点滅を生じ、しかも同時にLED光源と板体媒介面の反射光は明点を形成し、こうして側辺余光は板体の凹溝位置を経由し外部へと散乱及び反射射出され、側光源を形成し、相同のLED光源が別に側辺光を増加させるような機能を構成する。
【０００６】
該板体は透明材質で、しかも該凹溝は、板面の周囲、中央位置等の該板体の板面のあらゆる位置に設置することができ、しかも該凹溝は直線、弧状、方形、不規則形等の各種図形とすることができ、また該凹溝は該板体の前側板面或いは後側板面に設置し、或いは前側及び後側板面に共に設置することができ、またLED光源は底端の基板上に設置し、後側の板面に凹溝を設置する時、基板は板体の板面に平行に、凹溝の後側面に設置し、或いは基板は板体の板面に垂直に、凹溝の内部に設置し、さらに、該板体の後側面にはバックボードを設置する。また該光る看板装置は該板体側辺に設置するフレーム体を含み、該板体の前側面からこれを見ることができ、該フレーム体はLED光源を遮蔽せず、さらに、板体後側面にバックボードを設置しない時には、後側板面に水銀メッキ膜或いは水銀接着膜を増設する等、該板体の後側面に鏡面処理を施すことができ、こうして板体は正面から見ると鏡面を形成する。
【０００７】
さらに、該LED光源モジュールの複数のLED光源は単一の色で、該複数のLED光源は複数のLEDユニットとして分布し、しかも該各LEDユニットは少なくとも２個のLED光源を備え、該LED光源モジュールは別にプログラム制御を備えるコントローラーを接続し、該コントローラーは該各LEDユニットの点灯、消灯、或いは点滅交代変換を制御可能で、
該LED光源モジュールの複数のLED光源は少なくとも２種の色を備え、しかも該LED光源モジュールは別にプログラム制御を備えるコントローラーを接続し、該コントローラーは異なる色のLED光源の点灯、消灯、或いは点滅交代変換を制御可能で、こうして複数の色のLED光源はプログラム設計を通して制御され、板体周囲において走馬灯のような順番に環状に点灯する効果を達成することができる。
【０００８】
よって、本考案光る看板の構造は主に、LED光源をフレーム体の内部ではなく、板体の板面に結合し、こうしてLED光源の主要発光角度は板体の板面に平行に投射され、板面上の図案文字に照射され、しかもLED光源の側辺余光は組み立て位置の板体を経由し散乱及び反射し投射され、板体辺縁の装飾を構成可能で、こうして光る看板装置をより目立たせることができ、しかもLED光源の個数を増やす必要がなく、二方向への発光効果を達成することができ、しかもLED光源の色の変換、環状での点滅により、光る看板装置はさらに目立つようになり、広告効果は絶大となり、しかも最低コストで最大の効果を達成することができる。
【課題を解決するための手段】
【０００９】
請求項１の考案は、光る看板装置の構造は少なくとも板体及び少なくとも１個のLED光源モジュールを含み、
該板体は透明材質で、前、後側は板面で、
該LED光源モジュールは少なくとも基板及び複数のLED光源を備え、
該板体の前、後側の板面中には少なくとも１個の凹溝を設置し、該LED光源モジュールの複数のLED光源は該凹溝内部に収容設置され、しかも該LED光源の主要発光角度は該板体の板面に平行に投射されることを特徴とする光る看板の構造としている。
請求項２の考案は、前記凹溝は該板体後側の板面の周縁に環状に設置することを特徴とする請求項１記載の光る看板の構造としている。
請求項３の考案は、前記LED光源は該基板上に設置し、しかも該板体の後側の板面に凹溝を設置する時に、該基板は該板体の板面に平行に、該凹溝の後側面に設置することを特徴とする請求項１記載の光る看板の構造としている。
請求項４の考案は、前記LED光源は該基板上に設置し、しかも該基板は板体の板面に垂直に、該凹溝の内部に設置することを特徴とする請求項１記載の光る看板の構造としている。
請求項５の考案は、前記光る看板装置はさらに該板体後側面に設置するバックボードを含むことを特徴とする請求項１記載の光る看板の構造としている。
請求項６の考案は、前記光る看板装置はさらに該板体側辺に設置するフレーム体を含み、しかも該板体の前側面から見ることができ、該フレーム体は該LED光源を遮蔽しないことを特徴とする請求項５記載の光る看板の構造としている。
請求項７の考案は、前記板体は後側の板面に水銀メッキ膜或いは水銀接着膜を増設することを特徴とする請求項１記載の光る看板の構造としている。
請求項８の考案は、前記LED光源モジュールの複数のLED光源は単一の色で、該複数のLED光源は複数のLEDユニットとして分布し、しかも該各LEDユニットは少なくとも２個のLED光源を備え、
また該LED光源モジュールは別にプログラム制御を備えるコントローラーに接続し、該コントローラーは該各LEDユニットの点灯、消灯、或いは交代点滅変換を制御可能であることを特徴とする請求項１記載の光る看板の構造としている。
請求項９の考案は、前記LED光源モジュールの複数のLED光源は少なくとも２種の色を備え、
しかも該LED光源モジュールは別にプログラム制御を備えるコントローラーに接続し、該コントローラーは異なる色のLED光源の点灯、消灯、或いは交代点滅変換を制御可能であることを特徴とする請求項１記載の光る看板の構造としている。
【考案の効果】
【００１０】
上記のように、本考案は光る看板にLED光源を結合する位置、構造を改変することで、より高い広告効果を達成することができる。
【考案を実施するための最良の形態】
【００１１】
図４、５に示すように、本考案光る看板の構造は、少なくとも板体１及びLED光源モジュール３を含む。
【００１２】
該板体１はアクリル、ガラス等の透明材質である。該板体１の前、後側は板面１aで、該板体１にはレーザーエッチング或いはCNCエッチング、印刷等の方法により文字或いは図案２を設置する。該文字或いは図案２は該板体１の板面１a上に書くことができる蛍光物質である。該板体１の前、後側の板面１a中には、少なくとも板面１aに凹溝１１を設置し、該凹溝１１は該板体１の後側板面１aの周縁(図４、６参照)、中央位置等あらゆる位置に設置することができる。また該凹溝１１は該板体１の前側板面１a或いは後側板面１aに設置可能で(図はこれを例とする)、或いは前側及び後側板面１a共に設置することができる。また該凹溝１１は直線、弧状、方形、不規則形等の各種図形とすることができる。
【００１３】
該LED光源モジュール３は、該板体１板面１aが対応する、周縁、中央位置等の凹溝１１位置に設置し、しかも該LED光源モジュール３は点光源であるため、該凹溝１１の形状に対応し設置する。それは少なくとも単一色或いは多種の色の複数のLED光源３１(図４〜図６参照。図中では一種の色を例とする)及び基板３２を含む。該複数のLED光源３１は該凹溝１１の内部に収容し、しかも該LED光源３１の主要発光角度は平行に該板体１の板面１aへと投射される。つまり、該LED光源３１は該板体１の板面１aと平行を成す(図７参照)。該LED光源３１は底端の基板３２上に設置し、しかも該板体１は後側の板面１aに凹溝１１を設置する時、該基板３２は該板体１の板面１aに平行で、該凹溝１１の後側面に設置する(図７参照。組み立て時には粘着テープを用い接着し、或いは接着体を用い粘着接合させる)。或いは、該基板３２は該板体１の板面１aに垂直に、該凹溝１１の内部に設置する(図８参照)。該LED光源３１は別にスイッチ台、電池ボックス、或いはコンセントを含むが、これらは本考案の技術重点ではないため、ここでは詳述しない。
【００１４】
別に、光る看板装置は該板体１後側面に設置するバックボード４(図４、図５、図７、図８、図１０参照)を含む。さらに、光る看板装置は別に該板体１に設置するフレーム体５を含み(図９、１０参照)、該フレーム体５は該板体１、該バックボード４の側辺に挟む。しかも該板体１の前側面から目にすることができ、該フレーム体５は該LED光源３１を遮蔽しない。さらに、該板体１は後側の板面１aにおいて、鏡面処理を施すことができる。すなわち、後側の板面１aにおいて水銀メッキ膜或いは水銀接着膜１２(図１１参照。図はこれを例とする)を増設可能で、これにより該板体１は正面から見ると鏡面のようになり、しかもこの時にはバックボード４は設置しない。
【００１５】
該LED光源モジュール３は、該板体１の凹溝１１位置に対応させるために、該板体１の片側だけに設置し、或いは該板体１の板面１a周辺に設置することができる。
【００１６】
上記組成の構造により実施時には、電源を入れると、該LED光源３１の主要発光角度は該板体１へと平行に投射される(主光源)。この時、文字或いは図案２(蛍光物質等)の光源(LED)を吸収する特性を利用し、単一の色(図９参照)或いは多種の色(図１２参照)のLED光源３１の発光、変化を対応させ、これにより該文字或いは図案２は絶えず色が変化し、或いは点滅を生じ、さらには跳動するかのような効果を発生することができる。さらに、該LED光源３１は該板体１内部に組み立て(図１０参照)、公知構造のようにフレーム体５内部に組み立てるのではない(本考案のフレーム体は必要構成部品ではない)。しかも本考案のフレーム体５は該LED光源３１を遮蔽しないため、該板体１の前側面から見ることができる。よって、該LED光源３１と該板体１媒介面の反射光は明点を形成し、該明点(反射余光)は該凹溝１１位置の板体１を通して散乱及び反射し発射される(図１０参照)。こうして明点を増強し目を引く効果(側光源)を形成し、該文字或いは図案２と組み合わせ、より良い広告或いは告示効果を達成する。しかも該LED光源３１の余光は十分に利用され、該LED光源３１の個数を増加させなくとも、二方向への発光効果を達成し、コスト削減、経済パフォーマンス向上を達成し、より目を引く効果を達成することができる。すなわち、本考案は実施時に視覚的に充分に目立ち、消費者の注意を喚起する目的を達成することができる。
【００１７】
図１３に示すように、該LED光源モジュール３の複数のLED光源３１は単一色である。該複数のLED光源３１は複数のLEDユニット３１aとして分布設置し、しかも該各LEDユニット３１aは少なくとも２個のLED光源３１を備える(図は３個を例とする)。
また該LED光源モジュール３は別にプログラム制御のコントローラー３３を接続する。該コントローラー３３は該各LEDユニット３１aの点灯、消灯、或いは点滅変換を制御することができる。例えば、該コントローラー３３は、該複数のLEDユニット３１aに該板体１周囲において順番に交代に点滅するなどを、そのプログラム設計に基づき行わせることができる。
【００１８】
図１４に示すように、該LED光源モジュール３の複数のLED光源３１は少なくとも２種の色を備え(図は３種の色を例とする)、しかも該LED光源モジュール３は別にプログラム制御のコントローラー３３を接続する。該コントローラー３３は該異なる色のLEDユニット３１の点灯、消灯、或いは点滅変換を制御することができる。これにより実施時には、該LED光源３１の主要光源は該板体１内へと投射され、これにより該板体１上の文字或いは図案２は該LED光源３１の変化に従う。また該LED光源３１の側辺余光は、該コントローラー３３のプログラム設計により制御され、該板体１周囲において、走馬灯のような、取り囲む装飾変化 (順番に時計周り、或いは反時計周り等)を形成する。これにより、特殊な視覚効果を増進し、人を引き付ける広告の魅力は非常に強くなる。
【図面の簡単な説明】
【００１９】
【図１】公知の光る看板の平面構造概略図である。
【図２】図１のA-A'線における断面構造概略図である。
【図３】図２の別の平面構造実施例図である。
【図４】本考案実施例の立体分解図である。
【図５】本考案実施例の立体組合せ図である。
【図６】本考案実施例の平面構造背面概略図である。
【図７】本考案の部分横断面構造断面参考図である。
【図８】図７の別の構造実施例参考図である。
【図９】本考案の実施作動の平面概略図である。
【図１０】本考案がフレーム体を含む時の部分横断面構造断面参考図、及び主光源、側光源を備える概略図である。
【図１１】本考案が後側の板面に鏡面処理を施す部分横断面構造断面参考図である。
【図１２】本考案の別の実施作動平面概略図である(LED光源モジュールは多種の色のLED光源を備える)。
【図１３】本考案のさらに別の実施作動平面概略図である(複数のLED光源は複数のLEDユニットとして分布し、別にコントローラーを設置する概略図である)。
【図１４】本考案のまたさらに別の実施作動平面概略図である(LED光源モジュールは多種の色を備えるLED光源で、別にコントローラーを設置する概略図である)。
【符号の説明】
【００２０】
１０  LED光源
２０  フレーム体
２０１  穿孔
３０  板体
４０  蛍光物質
１  板体
１１  凹槽
１a  板面
１２  水銀接着膜
２  文字或いは図案
３  LED光源モジュール
３１  LED光源
３１a  LEDユニット
３１１  サポートスタンド
３２  基板
３３  コントローラー
４  バックボード
５  フレーム体
【図１】
0003145177.tif 000003
【図２】
0003145177.tif 000004
【図３】
0003145177.tif 000005
【図４】
0003145177.tif 000006
【図５】
0003145177.tif 000007
【図６】
0003145177.tif 000008
【図７】
0003145177.tif 000009
【図８】
0003145177.tif 000010
【図９】
0003145177.tif 000011
【図１０】
0003145177.tif 000012
【図１１】
0003145177.tif 000013
【図１２】
0003145177.tif 000014
【図１３】
0003145177.tif 000015
【図１４】
0003145177.tif 000016